(57)【特許請求の範囲】
【請求項１】
通路に略沿うように設置される照明器具であって、
前記通路に光を照射する放電灯からなる主照明と、
前記通路における人の存在を感知する人感センサと、
前記通路に略沿う方向に光を照射し、通路の延びる方向を人に視認させるためのＬＥＤランプからなる視線誘導灯とを備え、
前記主照明は、前記人感センサにより人が感知されているときに点灯し、人が感知されていないときに消灯し、
前記視線誘導灯は、常時又は所定時間帯に点灯することを特徴とする照明器具。
【請求項２】
前記視線誘導灯は、前記人感センサにより人が感知されていないときに点灯し、人が感知されているときに消灯することを特徴とする請求項１に記載の照明器具。
【発明の詳細な説明】
【技術分野】
【０００１】
本発明は、通路に略沿うように設置されるフットライト等の照明器具に関する。
【背景技術】
【０００２】
従来から、通路における人の存在を感知する人感センサと、人感センサにより人を感知している場合に点灯し、人を感知していない場合に消灯する照明とを備えた照明器具が知られている。このような照明器具は、例えば、人通りの少ない通路等に略沿うように設置され、フットライトとして使用される。
【０００３】
また、人感センサに基づいて点灯又は消灯する照明にＬＥＤ（Light Emitting Diode）ランプを使用し、消費電力を低減できるようにした照明器具も知られている（例えば、特許文献１参照）。しかしながら、このような照明器具は、人感センサの感知範囲に人が入ってくるまでは、照明が点灯しないため、通行人が通路を見失ってしまう虞があった。
【０００４】
一方、人感センサにより人を感知していない場合には小電流でＬＥＤランプ等の照明を点灯させ、人感センサにより人を感知している場合には大電流で照明を点灯させて、人感センサにより人を感知していない場合であっても通路等の存在が分かるようにし、通行人が安心して通路を通行することができるようにした照明器具も知られている（例えば、特許文献２参照）。なお、以下においては、通路の存在又は通路の延びる方向を人に視認させる照明効果を、視線誘導効果という。
【特許文献１】特開平９−１６１５１５号公報
【特許文献２】特開２００４−２５９５２１号公報
【発明の開示】
【発明が解決しようとする課題】
【０００５】
しかしながら、特許文献２等のように、人感センサにより人を感知していない場合に小電流で照明を点灯させ、人を感知している場合に大電流で照明を点灯させる照明器具においては、照明としてＬＥＤランプを用いた場合には、消費電力を低減できる一方、人が通路を安全に通行するために必要な照度を安価に得ることが難しく、照明として放電灯を用いた場合には、十分な照度を安価に得やすいものの、消費電力を大幅に低減することが難しかった。
【０００６】
本発明は、かかる点に鑑みてなされたものであり、人が通路を安全に通行するために必要な照度及び視線誘導効果を確保しつつ、消費電力を大幅に低減することができる照明器具を提供することを目的とする。
【課題を解決するための手段】
【０００７】
上記目的を達成するために請求項１の発明は、通路に略沿うように設置される照明器具であって、前記通路に光を照射する放電灯からなる主照明と、前記通路における人の存在を感知する人感センサと、前記通路に略沿う方向に光を照射し、通路の延びる方向を人に視認させるためのＬＥＤランプからなる視線誘導灯とを備え、前記主照明は、前記人感センサにより人が感知されているときに点灯し、人が感知されていないときに消灯し、前記視線誘導灯は、常時又は所定時間帯に点灯することを特徴とする。
【０００８】
請求項２の発明は、請求項１に記載の照明器具において、前記視線誘導灯は、前記人感センサにより人が感知されていないときに点灯し、人が感知されているときに消灯することを特徴とする。
【発明の効果】
【０００９】
本発明によれば、人感センサにより人が感知されていない場合には、放電灯からなる主照明を消灯し、ＬＥＤランプからなる視線誘導灯を点灯させる一方、人感センサにより人が感知されている場合には、放電灯からなる主照明を点灯させるので、照明器具の近くに人が存在せず、通行人の足元を照らす必要がない状態においては、消費電力が少なく指向性に優れるＬＥＤランプの点灯により、消費電力を抑えつつ視線誘導効果を確保する一方、照明器具の近くに人が存在し、通行人の足元を照らす必要がある状態においては、照度の面で優れる放電灯の点灯により、通行人が通路を安全に通行するために必要な照度を確保することができる。このため、人が通路を安全に通行するために必要な照度及び視線誘導効果を確保しつつ、消費電力を大幅に低減することができる。
【発明を実施するための最良の形態】
【００１０】
以下、本発明の一実施形態に係る照明器具について、屋内又は屋外に設置されるフットライトを例にして説明する。図１に示されるように、照明器具１は、通路８に略沿うように並設され、通路８の所定範囲Ｒに光を照射する放電灯からなる主照明２と、通路８における人Ｈの存在を感知する人感センサ３と、通路８に略沿う方向に光を照射し、通路８の延びる方向を人Ｈに視認させるためのＬＥＤランプからなる視線誘導灯４とを備えている。なお、本実施形態において、通路とは、少なくとも人が通行する空間であれば良く、廊下、道路、階段等も含まれる。
【００１１】
図２及び図３に示されるように、照明器具１は、正面１ａの略中央に主照明２を備えており、主照明２の上方に人感センサ３を備えている。また、照明器具１は、正面１ａに対して斜め後方に向かって傾斜するように主照明２の両サイドに形成された傾斜面１ｂに、一対の視線誘導灯４を備えている。主照明２の両サイドに視線誘導灯４を設けることにより、図２及び図３において、左右どちら側から人が近づいてきた場合であっても、視線誘導灯４からの光が目に入るようにしている。主照明２及び視線誘導灯４は、ステンレス鋼板等により形成された筐体１０の内部に収納されており、主照明２及び視線誘導灯４の前方には強化ガラス２１，４１が取り付けられている。なお、照明器具１の大きさは、特に限定されるものではないが、本実施形態のようにフットライトとして用いる場合、例えば、幅２００ｍｍ、奥行き１５０ｍｍ、高さ５００ｍｍ程度である。
【００１２】
主照明２には、発光効率に優れ、人が通路を安全に通行するために必要な照度を安価に得ることができる蛍光灯（例えば、１３Ｗ程度）等の放電灯が用いられる。一方、視線誘導灯４には、消費電力が低く、指向性に優れ、特定方向を照射する場合に適しているＬＥＤランプが用いられる。図２では、複数のＬＥＤ素子を上下方向にライン状に配列して形成したＬＥＤランプを、視線誘導灯４として用いた例を示している。
【００１３】
主照明２及び視線誘導灯４の配置は、視線誘導灯４から発せられた熱が主照明２に到達する位置であることが好ましい。一般に、放電灯は低温始動性が悪く、後述するように人感センサ３と連動させて点灯させた場合、光度が最大になる前に通行人が通り過ぎてしまう虞がある。主照明２及び視線誘導灯４を近接して配置することにより、視線誘導灯４が熱源となり、主照明２の始動性が改善される。
【００１４】
人感センサ３には、例えば、赤外線センサ、光センサ、又は超音波センサ等が用いられる。人感センサ３の感知範囲は、主照明２の照射範囲より広くなるように設定することが好ましい。図４は、主照明２の照射範囲及び人感センサ３の感知範囲を、水平方向について示している。同図において、矢印Ａは通路８の延びる方向を示しており、照射範囲及び感知範囲の中心線が通路８の延びる方向Ａに対して略垂直になるように、主照明２及び人感センサ３が配置されている。また、同図において、主照明２の水平方向の照射範囲及び人感センサ３の水平方向の感知範囲は、それぞれθ１及びθ２で示されており、θ１＜θ２となるように設定されている。このようにすることにより、照明器具１に人が接近してきた際、人感センサ３で一早く人の存在を感知して、主照明２で通行人の足元を照らすことができる。
【００１５】
また、図４においては、視線誘導灯４の照射方向がＢ１及びＢ２で示されており、照射方向Ｂ１，Ｂ２は、通路８の延びる方向Ａを人に視認させるために、方向Ａに対して平行又は浅い角度で交わるように設定されている。なお、主照明２、人感センサ３、及び視線誘導灯４を回動自在に筐体１０に固定し、上下方向、又は水平方向に、人感センサ３の感知範囲、主照明２の照射範囲、及び照射方向Ｂ１，Ｂ２を若干変更できるようにしてもよい。
【００１６】
図５に示されるように、人感センサ３及び視線誘導灯４は商用電源５に接続されている。人感センサ３は、商用電源５から供給される電力により赤外線等を出力し、感知範囲における人の存在の有無を感知する。視線誘導灯４は、商用電源５から供給される電力により、常時又は所定時間帯に点灯する。なお、ここで、所定時間帯とは、通行人が、通路８の存在又は通路８の延びる方向を視認し難くなる時間帯を意味し、設置環境や、季節などによって適宜決定される。また、照明器具１に光センサを設け、通路８が暗くなる夜間など、光センサからの出力が所定値以下になった場合に、視線誘導灯４を点灯させるようにしてもよい。
【００１７】
また、主照明２は、人感センサ３を介して商用電源５に接続されており、人感センサ３は、人を感知した場合にのみ、商用電源５と主照明２を繋ぐスイッチ（図示せず）をオンにし、人を感知していない状態においては、このスイッチをオフにしている。従って、主照明２は、人感センサ３により人が感知されている場合に点灯し、人が感知されていない場合に消灯する。
【００１８】
なお、本実施形態においては、主照明２についてのみ、人感センサ３に基づいてオン又はオフさせる場合について説明したが、商用電源５と視線誘導灯４の間にも人感センサ３に基づいてオン又はオフするスイッチを配置し、人感センサ３により人が感知されている場合に視線誘導灯４を消灯し、人が感知されていない場合に視線誘導灯４を点灯するようにしてもよい。このようにすることにより、照明器具１の消費電力が更に低減される。
【００１９】
以上のように、本実施形態の照明器具１によれば、人感センサ３により人が感知されていない場合には、放電灯からなる主照明２を消灯し、ＬＥＤランプからなる視線誘導灯４を点灯させる一方、人感センサ３により人が感知されている場合には、放電灯からなる主照明２を点灯させるので、照明器具１の近くに人が存在せず、通行人の足元を照らす必要がない状態においては、消費電力が少なく指向性に優れるＬＥＤランプの点灯により、消費電力を抑えつつ視線誘導効果を確保する一方、照明器具１の近くに人が存在し、通行人の足元を照らす必要がある状態においては、照度の面で優れる放電灯の点灯により、通行人が通路８を安全に通行するために必要な照度を確保することができる。このため、人が通路８を安全に通行するために必要な照度及び視線誘導効果を確保しつつ、消費電力を大幅に低減することができる。
【００２０】
なお、本発明は上記各種実施形態の構成に限られることなく種々の変形が可能である。例えば、ＬＥＤランプの点滅パターンや発光色を状況に応じて変化させることで、避難誘導効果や空間演出効果に優れる照明器具として用いてもよい。
【図面の簡単な説明】
【００２１】
【図１】本発明の一実施形態に係る照明器具の設置状態を示す図。
【図２】同照明器具の正面図。
【図３】同照明器具の上面図。
【図４】同照明器具の主照明の照射範囲及び人感センサの感知範囲の説明図。
【図５】同照明器具のブロック図。
【符号の説明】
【００２２】
１    照明器具
２    主照明
３    人感センサ
４    視線誘導灯
【図１】
0004442527.tif 000002
【図２】
0004442527.tif 000003
【図３】
0004442527.tif 000004
【図４】
0004442527.tif 000005
【図５】
0004442527.tif 000006